(57)【要約】【課題】本発明は被処理物、例えば接着剤，インキ，塗料等の産業用廃液及びおから，酒粕，米飯等の食品残渣物の乾燥処理方法に関し、被処理物を乾燥する過程において、優れた熱効率を有し、運転時間を短縮し、電気エネルギーを有効利用して節電し安価な運転経費で乾燥できる乾燥装置を提供する。【解決手段】上記被処理物を乾燥する方法において、乾燥装置内部のバッド底面の全面に平面ヒーターを貼りつけた乾燥装置であって、尚且つ乾燥装置内部の全面とバッド表面に熱放射性塗料を塗布した事を特徴とする乾燥装置。【選択図】図１
2013145103.tif 000002
【特許請求の範囲】
【請求項１】
乾燥装置内部に設けた受皿（以下バッドと呼ぶ）に被処理物を貯めて乾燥する装置であって、このバッドの底面全面に平面ヒーター（半導体接点：以下省略）を直に貼りつけ、急速にバッドの温度を上昇させ、熱効率よく短時間で加熱乾燥させる事を特徴とする乾燥装置。
【請求項２】
乾燥装置内部の全面とバッドの表面に熱放射性塗料を塗布した事を特徴とする乾燥装置。
【請求項３】
バッドの数が１皿以上複数皿からなる請求項１記載の乾燥装置。
【請求項４】
乾燥する被処理物は接着剤、塗料、インキ等の産業用廃液及び、おから、酒粕、米飯等の食品残渣物である請求項１，２，３の乾燥装置。
【発明の詳細な説明】
【発明の詳細な説明】
【技術分野】
【０００１】本発明は水分を多く含む被処理物を乾燥させる乾燥装置であり、この乾燥装置内部の温度を熱効率よく急速短時間で上昇させる手段であり、請求項１，２を組み合わせる事により、一段と昇温が加速できる。
即ち、
１）乾燥装置内部に設けたバッド底面の全面に平面ヒーターを直に貼りつける。
２）乾燥装置内部の全面とバッドの表面に熱放射性塗料を塗布して、１）伝導熱  ２）対流熱、３）副射熱（遠赤外線放射）を同時に発生させる。
以上、１），２）の効果を組み合わせる事により、急速短時間に温度を上昇させ熱効率よく水分を除去し、被処理物を乾燥する事を特徴とした乾燥装置に関するものである。
【背景技術】
【０００２】従来、乾燥装置としては多種類の形態のものが知られているが、乾燥装置内の加熱方法は主として、装置の下部又は上部に棒状ヒーターを取りつけ、且つ外部から内部に空気を吹きこみ、乾燥装置内部を循環させて温度を上昇させる方式が採用されているのが一般的である。この方式では熱効率が悪く、乾燥に長時間費やし運転時間のロスや電気費用が高くつく事が欠点となっている。
このような現状から熱効率が良く、少ないエネルギーで短時間に目的の乾燥が達成される事が望まれていた。【０００３】乾燥装置内部の昇温システムにおいて、特許文献の如く、熱源（ヒーター）が乾燥装置の上部又は下部に設置され、又バッドにも直接ヒーターが組みこまれていない。このため乾燥装置内部の昇温が遅くなる原因となっていた。【０００４】又、乾燥装置内部の材質は、一般に炭素鋼，ステンレス鋼，アルミニウム，亜鉛メッキ鋼及び弗素コート鋼等が、そのままの状態で内壁として使われている。
これらの材質のみでは副射熱の効果が期待できず、熱効率を充分に得るための試みがなされていない。【０００５】特許文献２，３に熱放射性塗料の利用が記載されている。しかし、この様な塗料は電子及び電気機器への応用が検討されているが、乾燥装置への熱効率を高める技術には一切触れていない。
【先行技術文献】
【特許文献】
【０００６】
【特許文献１】  特開２００５−６１８０９号  公開
【特許文献２】  特開２００４−４３６１２号  公報
【特許文献３】  特開平１０−２７９８４５号  公報
【発明が解決しようとする課題】
【０００７】近年、環境汚染の問題から石油、天然ガス等の利用を減らし電気への移行が急務となっている。しかし、２０１１年３月の東北地震による原発の事故により、電気の供給も困難な状態となっている。
本発明は、この様な事態を解決すべく優れた熱効率を有する乾燥装置を提供し、エネルギーの節約を追求するものである。
【課題を解決するための手段】
【０００８】上記課題を解決するために、本発明は被処理物の水分を除去して乾燥する乾燥装置であって、乾燥装置内部のバッド底面の全面に平面ヒーターを貼りつけ、且つ乾燥装置内部の全面とバッドの表面に熱放射性塗料を塗布し、被処理物を急速短時間で熱効率よく乾燥させる事を特徴とする乾燥装置である。
【発明の効果】
【０００９】本発明の乾燥装置は優れた熱効率が得られ、被処理物（水分を多く含む産業用廃液，及び食品残渣物等）を急速短時間で乾燥する事ができる乾燥装置である。
【図面の簡単な説明】
【００１０】
【図１】乾燥装置の一例を示した正面図である（１皿タイプ）
【図２】乾燥装置の一例を示した側面図である（１皿タイプ）
【発明を実施するための形態】
【００１１】従来の乾燥装置は熱源（ヒーター）を乾燥装置の上部又は下部に取りつけて加熱し、外部より空気を吹きこんで内部を循環させ、この対流熱のみを利用して温度を上げているために温度の上昇が遅くなり、水分を多く含んだ被処理物の乾燥に長時間要していた。
【００１２】本発明の乾燥装置は被処理物を貯めたバッドの底部の全面に半導体接点を組みこんだ平面ヒーターを貼りつけ、直に加熱する事により少ない電力で急速短時間に温度を上げ、電気エネルギーを最大限効率のよい方法で目的の温度に到達させ、乾燥を行う事ができる。
【００１３】又、本発明の乾燥装置は装置内部の全面及びバッドの表面に熱放射性塗料を塗布する事により、内部の熱伝達は伝導熱，対流熱及び広範囲の波長をもつ副射熱の３要素が最大限の熱効率をもたらし、急速短時間で被処理物の乾燥を行う事ができる。
【００１４】本発明の乾燥装置は上記［００１２］［００１３］で記述した如く、乾燥装置内部の底部の全面に平面ヒーターを貼りつけて昇温を速め、尚且つ乾燥装置内部の全面及びバッドの表面に熱放射性塗料を塗布し、伝導熱，対流熱及び副射熱を同時に発生させる事により最大限の熱効率を得る事が可能となった。
又、従来型の乾燥装置（例・［特許文献１］特開２００５−６１８０９号）にも本発明は利用する事ができる。
【００１５】本発明の乾燥装置の［００１２］の項で記述した如く、平面ヒーターの素材としてＡｌ合金−金属半導体，Ａｌ−Ｍｇ−金属半導体及びＡｕ−金属半導体が用いられる。
【００１６】本発明の乾燥装置の［００１３］の記述の如く、熱放射性塗料の着色剤の素材として、カーボンブラック，又はチタンブラックを混合した黒色塗料及びフタロシアニンブラック，又はアニリンブラックを混合した黒色塗料等の無機系着色剤や有機系着色剤が用いられる。
又、その他の素材としてＳｉＯ２−Ｓｂ２Ｏ５系の半導体と樹脂を混合した塗料，及び焼成セラミックス等が用いられる。
【００１７】上記樹脂の素材としては、弗素樹脂，シリコーン樹脂，フェノール樹脂，エポキシ樹脂，ポリエステル樹脂及びその他の耐熱性プラスチック樹脂が用いられる。
【００１８】上記熱放射性塗料は水性型，溶剤型，エマルジョン型及び粉体型のいずれの形態で塗布してもよい。塗布する場合の塗膜は１０〜１００μｍが適当であるが、これより薄くなると大きなピンホールが生じ易く、副射熱の効果が損なわれる事がある。
【００１９】本発明の乾燥に用いる被処理物は液状，ペースト状，スラリー状及び粘度状等の水分を含んだ産業用廃液や食品残渣物であり乾燥する事ができる。
産業用廃液としては例えば接着剤，インキ，及び塗料等であり、食品残渣物としては例えばおから，酒粕，米飯，及びうどん等を乾燥する事ができる。
【００２０】本発明の乾燥装置における平面ヒーター（半導体接点）と通常の平面ヒーターの温度上昇曲線をグラフ１に示す
2013145103.tif 000003
本発明の乾燥装置と通常の乾燥装置の温度上昇曲線をグラフ２に示す
2013145103.tif 000004
【００２１】次に本発明に係わる乾燥装置の実施例を概略正面図，１及び側面図，２を用いて説明する。被処理物を投入するバッド１が設けており、このバッド１に被処理物を容器又は移送ポンプを用いて投入する。バッド１の内面に被処理物の密着を防止するために予め剥離紙を敷いておいても良い。剥離紙の素材はＰ・Ｅ（又はシリコン）−クラフト紙，及びＡｌ−ＰＥＴ等の積層フィルムが用いられる。
【００２２】バッドの底面の全面に平面ヒーター２が貼りつけられている。
このバッド，１と平面ヒーター，２は密着している。その下部には軟質の支え板，３が固定されている。この支え板，３はバッド，１と平面ヒーター，２の密着性を保持し、又平面ヒーター，２の落下防止も兼備えている。
【００２３】乾燥装置の上部に開閉可能な乾燥バッド蓋，４が設けられている。
このバッド蓋，４を密閉する事により初期に伝導熱，対流熱を発生させる。
本発明において、乾燥装置内部の全面と乾燥バッド蓋，４及びバッド，１の表面は熱放射性塗料が塗布されており、温度が上昇するに従って副射熱を増大させ、一段と熱効率を高める事ができる。
【００２４】被処理物を乾燥させる工程で、多くの水蒸気が発生する。
この発生した水蒸気は排気ブロワー，５で排気筒，６に送り外部へ放出される。
又、同時に一部の水蒸気は熱源として乾燥装置内部でリサイクルし、熱エネルギーの有効利用することも出来る。
【００２５】尚、本発明の乾燥装置において、図１，２に示したバッドは一皿であるが、被処理物の量が増えるに従って複数皿にしてもよい。
複数皿にする事により平面ヒーターの数も比例式に増え、上述したように伝導熱，対流熱及び副射熱の作用により熱効率が一段と増すことになる。
【発明の効果】
【００２６】以上のように本発明によれば被処理物、例えば接着剤，インキ，塗料等の産業用廃液及びおから，酒粕，米飯等の食品残渣物を乾燥装置内部のバッドに貯めて乾燥させる時、バッドの底面の全面に平面ヒーターを貼りつけて、急速短時間に目的の温度に到達させると共に、最大限の熱効率を上げるために乾燥装置内部の全面及びバッドの表面に熱放射性塗料を塗布し、乾燥装置内部において伝導熱，対流熱及び副射熱（遠赤外線放射）の３要素を同時に発生させ、急速短時間で被処理物を乾燥する事ができた。
これによって乾燥装置の小型化，設置面積の縮小化，乾燥装置の易移動性及び運転時間の短縮化等、安価な運転経費で乾燥する事が可能となった。
【図面の簡単な説明】
【図１】図，１は本発明の一実施例に係わる乾燥装置の概略正面図
【図２】図，２は本発明の一実施例に係わる乾燥装置の概略側面図
【符号の説明】１・・乾燥容器（バッド）
２・・平面ヒーター
３・・支え板
４・・乾燥バッド蓋
５・・排気ブロワー
６・・排気筒
７・・吸気口
８・・移動用ローラー
【図１】
2013145103.tif 000005
【図２】
2013145103.tif 000006
【手続補正書】
【提出日】平成24年3月5日(2012.3.5)
【手続補正２】
【補正対象書類名】明細書
【補正対象項目名】全文
【補正方法】変更
【補正の内容】
【発明の詳細な説明】
【発明の詳細な説明】
【技術分野】
【０００１】本発明は水分を多く含む被処理物を乾燥させる乾燥装置であり、
この乾燥装置内部の温度を熱効率よく急速短時間で上昇させる手段であり、
請求項１，２を組み合わせる事により、一段と昇温が加速できる。
即ち、
１）乾燥装置内部に設けたバッド底面の全面に平面ヒーターを直に貼りつける。
２）乾燥装置内部の全面とバッドの表面に熱放射性塗料を塗布して、１）伝導熱  ２）対流熱、３）副射熱（遠赤外線放射）を同時に発生させる。
以上、１），２）の効果を組み合わせる事により、急速短時間に温度を上昇させ熱効率よく水分を除去し、被処理物を乾燥する事を特徴とした乾燥装置に関するものである。
【背景技術】
【０００２】従来、乾燥装置としては多種類の形態のものが知られているが、乾燥装置内の加熱方法は主として、装置の下部又は上部に棒状ヒーターを取りつけ、且つ外部から内部に空気を吹きこみ、乾燥装置内部を循環させて温度を上昇させる方式が採用されているのが一般的である。この方式では熱効率が悪く、乾燥に長時間費やし運転時間のロスや電気費用が高くつく事が欠点となっている。
このような現状から熱効率が良く、少ないエネルギーで短時間に目的の乾燥が達成される事が望まれていた。【０００３】乾燥装置内部の昇温システムにおいて、特許文献の如く、熱源（ヒーター）が乾燥装置の上部又は下部に設置され、又バッドにも直接ヒーターが組みこまれていない。このため乾燥装置内部の昇温が遅くなる原因となっていた。【０００４】又、乾燥装置内部の材質は、一般に炭素鋼，ステンレス鋼，アルミニウム，亜鉛メッキ鋼及び弗素コート鋼等が、そのままの状態で内壁として使われている。
これらの材質のみでは副射熱の効果が期待できず、熱効率を充分に得るための試みがなされていない。【０００５】特許文献２，３に熱放射性塗料の利用が記載されている。しかし、この様な塗料は電子及び電気機器への応用が検討されているが、乾燥装置への熱効率を高める技術には一切触れていない。
【先行技術文献】
【特許文献】
【０００６】
【特許文献１】  特開２００５−６１８０９号  公開
【特許文献２】  特開２００４−４３６１２号  公報
【特許文献３】  特開平１０−２７９８４５号  公報
【発明が解決しようとする課題】
【０００７】近年、環境汚染の問題から石油、天然ガス等の利用を減らし電気への移行が急務となっている。しかし、２０１１年３月の東北地震による原発の事故により、電気の供給も困難な状態となっている。
本発明は、この様な事態を解決すべく優れた熱効率を有する乾燥装置を提供し、エネルギーの節約を追求するものである。
【課題を解決するための手段】
【０００８】上記課題を解決するために、本発明は被処理物の水分を除去して乾燥する乾燥装置であって、乾燥装置内部のバッド底面の全面に平面ヒーターを貼りつけ、且つ乾燥装置内部の全面とバッドの表面に熱放射性塗料を塗布し、被処理物を急速短時間で熱効率よく乾燥させる事を特徴とする乾燥装置である。
【発明の効果】
【０００９】本発明の乾燥装置は優れた熱効率が得られ、被処理物（水分を多く含む産業用廃液，及び食品残渣物等）を急速短時間で乾燥する事ができる乾燥装置である。
【発明を実施するための形態】
【００１０】従来の乾燥装置は熱源（ヒーター）を乾燥装置の上部又は下部に取りつけて加熱し、外部より空気を吹きこんで内部を循環させ、この対流熱のみを利用して温度を上げているために温度の上昇が遅くなり、水分を多く含んだ被処理物の乾燥に長時間要していた。
【００１１】本発明の乾燥装置は被処理物を貯めたバッドの底部の全面に半導体接点を組みこんだ平面ヒーターを貼りつけ、直に加熱する事により少ない電力で急速短時間に温度を上げ、電気エネルギーを最大限効率のよい方法で目的の温度に到達させ、乾燥を行う事ができる。
【００１２】又、本発明の乾燥装置は装置内部の全面及びバッドの表面に熱放射性塗料を塗布する事により、内部の熱伝達は伝導熱，対流熱及び広範囲の波長をもつ副射熱の３要素が最大限の熱効率をもたらし、急速短時間で被処理物の乾燥を行う事ができる。
【００１３】本発明の乾燥装置は上記［００１１］［００１２］で記述した如く、乾燥装置内部の底部の全面に平面ヒーターを貼りつけて昇温を速め、尚且つ乾燥装置内部の全面及びバッドの表面に熱放射性塗料を塗布し、伝導熱，対流熱及び副射熱を同時に発生させる事により最大限の熱効率を得る事が可能となった。
又、従来型の乾燥装置（例・［特許文献１］特開２００５−６１８０９号）にも本発明は利用する事ができる。
【００１４】本発明の乾燥装置の［００１１］の項で記述した如く、平面ヒーターの素材としてＡｌ合金−金属半導体，Ａｌ−Ｍｇ−金属半導体及びＡｕ−金属半導体が用いられる。
【００１５】本発明の乾燥装置の［００１２］の記述の如く、熱放射性塗料の着色剤の素材として、カーボンブラック，又はチタンブラックを混合した黒色塗料及びフタロシアニンブラック，又はアニリンブラックを混合した黒色塗料等の無機系着色剤や有機系着色剤が用いられる。
又、その他の素材としてＳｉＯ２−Ｓｂ２Ｏ５系の半導体と樹脂を混合した塗料，及び焼成セラミックス等が用いられる。
【００１６】上記樹脂の素材としては、弗素樹脂，シリコーン樹脂，フェノール樹脂，エポキシ樹脂，ポリエステル樹脂及びその他の耐熱性プラスチック樹脂が用いられる。
【００１７】上記熱放射性塗料は水性型，溶剤型，エマルジョン型及び粉体型のいずれの形態で塗布してもよい。塗布する場合の塗膜は１０〜１００μｍが適当であるが、これより薄くなると大きなピンホールが生じ易く、副射熱の効果が損なわれる事がある。
【００１８】本発明の乾燥に用いる被処理物は液状，ペースト状，スラリー状及び粘度状等の水分を含んだ産業用廃液や食品残渣物であり乾燥する事ができる。
産業用廃液としては例えば接着剤，インキ，及び塗料等であり、食品残渣物としては例えばおから，酒粕，米飯，及びうどん等を乾燥する事ができる。
【００１９】本発明の乾燥装置における平面ヒーター（半導体接点）と通常の平面ヒーターの温度上昇曲線をグラフ１に示す
2013145103.tif 000007
本発明の乾燥装置と通常の乾燥装置の温度上昇曲線をグラフ２に示す
2013145103.tif 000008
【００２０】次に本発明に係わる乾燥装置の実施例を概略正面図，１及び側面図，２を用いて説明する。被処理物を投入するバッド１が設けており、このバッド１に被処理物を容器又は移送ポンプを用いて投入する。バッド１の内面に被処理物の密着を防止するために予め剥離紙を敷いておいても良い。剥離紙の素材はＰ・Ｅ（又はシリコン）−クラフト紙，及びＡｌ−ＰＥＴ等の積層フィルムが用いられる。
【００２１】バッドの底面の全面に平面ヒーター２が貼りつけられている。
このバッド，１と平面ヒーター，２は密着している。その下部には軟質の支え板，３が固定されている。この支え板，３はバッド，１と平面ヒーター，２の密着性を保持し、又平面ヒーター，２の落下防止も兼備えている。
【００２２】乾燥装置の上部に開閉可能な乾燥バッド蓋，４が設けられている。
このバッド蓋，４を密閉する事により初期に伝導熱，対流熱を発生させる。
本発明において、乾燥装置内部の全面と乾燥バッド蓋，４及びバッド，１の表面は熱放射性塗料が塗布されており、温度が上昇するに従って副射熱を増大させ、一段と熱効率を高める事ができる。
【００２３】被処理物を乾燥させる工程で、多くの水蒸気が発生する。
この発生した水蒸気は排気ブロワー，５で排気筒，６に送り外部へ放出される。
又、同時に一部の水蒸気は熱源として乾燥装置内部でリサイクルし、熱エネルギーの有効利用する事もできる。
【００２４】尚、本発明の乾燥装置において、図１，２に示したバッドは一皿であるが、被処理物の量が増えるに従って複数皿にしてもよい。
複数皿にする事により平面ヒーターの数も比例式に増え、上述したように伝導熱，対流熱及び副射熱の作用により熱効率が一段と増すことになる。
【発明の効果】
【００２５】以上のように本発明によれば被処理物、例えば接着剤，インキ，塗料等の産業用廃液及びおから，酒粕，米飯等の食品残渣物を乾燥装置内部のバッドに貯めて乾燥させる時、バッドの底面の全面に平面ヒーターを貼りつけて、急速短時間に目的の温度に到達させると共に、最大限の熱効率を上げるために乾燥装置内部の全面及びバッドの表面に熱放射性塗料を塗布し、乾燥装置内部において伝導熱，対流熱及び副射熱（遠赤外線放射）の３要素を同時に発生させ、急速短時間で被処理物を乾燥する事ができた。
これによって乾燥装置の小型化，設置面積の縮小化，乾燥装置の易移動性及び運転時間の短縮化等、安価な運転経費で乾燥する事が可能となった。
【図面の簡単な説明】
【図１】  図１は本発明の一実施例に係わる乾燥装置の概略正面図
【図２】  図２は本発明の一実施例に係わる乾燥装置の概略側面図
【符号の説明】
【００２６】１・・乾燥容器（バッド）
２・・平面ヒーター
３・・支え板
４・・乾燥バッド蓋
５・・排気ブロワー
６・・排気筒
７・・吸気口
８・・移動用ローラー